(57)【要約】【課題】アドレス設定モードから操作モードに切り替えることなく、スイッチごとに設定されたアドレスの正誤を確認可能とすることで、アドレスの設定作業の効率を向上することができる監視制御装置を提供する。【解決手段】制御部２０は、操作入力部２３におけるスイッチの操作に応じてアドレスを含む伝送信号を信号線上に送出する操作モードと、フラッシュメモリ１３に記憶されるアドレスを設定するアドレス設定モードとの２つの動作モードを切り替えるモード切替手段２１を有する。制御部２０は、アドレス設定モードで動作中に操作入力部２３で所定の操作がされることによりアドレス設定モードを中断し、設定中のアドレスを仮アドレスとして暫定的に使用する動作確認モードを起動する動作確認手段２２を具備し、動作確認モードが終了するとアドレス設定モードを再開する。【選択図】図１
2010199900.tif 000002
【特許請求の範囲】
【請求項１】
それぞれ固有のアドレスが設定される１ないし複数のスイッチを有しスイッチの操作に応じてアドレスを含む伝送信号を信号線上に送出する操作端末器と、伝送信号に基づいて操作されたスイッチに対応した負荷を制御する制御端末器とを備えた遠隔監視制御システムに、信号線に接続して用いられる監視制御装置であって、１ないし複数のスイッチを有した操作入力部と、スイッチごとにアドレスを記憶するアドレスメモリと、少なくともスイッチの操作に応じてアドレスを含む伝送信号を信号線上に送出する操作モードおよびアドレスメモリに記憶されるアドレスを設定するアドレス設定モードの２つの動作モードを有する制御部とを備え、制御部は、アドレス設定モードで動作中に操作入力部で所定の操作がされることによりアドレス設定モードを中断し、設定中のアドレスを仮アドレスとして使用し当該仮アドレスを含む伝送信号を信号線上に送出する動作確認モードを起動する動作確認手段を有し、動作確認モードが終了するとアドレス設定モードを再開することを特徴とする監視制御装置。
【請求項２】
前記制御部が前記操作モードと前記動作確認モードとのいずれかの動作モードにあるときに、各スイッチにそれぞれ対応付けられた前記負荷の動作状態を表示する状態表示部を備えることを特徴とする請求項１記載の監視制御装置。
【請求項３】
前記操作入力部は、文字および図形をカラー表示可能な表示パネルと、表示パネルの画面に重ねて配置され利用者によりタッチ操作されるタッチスイッチとを具備したタッチパネルディスプレイからなり、タッチスイッチのうち表示パネルの画面に表示される操作釦により規定された領域を前記スイッチとし、前記制御部は、スイッチごとに表示パネル上の操作釦の表示色を設定する表示色設定モードを動作モードとして有することを特徴とする請求項１または請求項２に記載の監視制御装置。
【発明の詳細な説明】
【技術分野】
【０００１】
本発明は、通信によって負荷の監視制御を行う遠隔監視制御システムに用いられる監視制御装置に関するものである。
【背景技術】
【０００２】
従来から、負荷の遠隔監視制御を行うために信号線を通してスイッチのオンオフ情報を含む伝送信号を伝送し、負荷の電源を入切するリレーを伝送信号によって開閉させる技術が知られている。
【０００３】
この種の遠隔監視制御システムとしては、スイッチを有する操作端末器と負荷への電源を入切するリレーを有する制御端末器とを端末装置として備え、伝送ユニットをセンタ装置として備えた集中制御型のものがある。操作端末器および制御端末器はそれぞれ複数台ずつ設けられていてもよい。伝送ユニットと操作端末器と制御端末器とは２線式の信号線に接続されており、操作端末器および制御端末器に個別に設定されている端末アドレスを用いて伝送ユニットが操作端末器および制御端末器を各別に認識する。
【０００４】
伝送ユニットは、操作端末器と制御端末器とをアドレスによって対応付けたデータテーブルである制御テーブルを格納したメモリを備えている。この伝送ユニットは、いずれかの操作端末器におけるスイッチのオンオフ情報が伝送信号（時分割多重伝送信号を用いている）を用いて通知されると、制御テーブルによって当該操作端末器に対応付けられている制御端末器に対して伝送信号を用いてリレーを開閉する指示を伝送する。この指示を受けた制御端末器においてリレーが開閉される。そのため、スイッチのオンオフに応じて負荷が制御されることになる。
【０００５】
ここに、一般的には各操作端末器はそれぞれ複数回路のスイッチを有し、また各制御端末器にはそれぞれ複数回路の負荷が接続される。伝送ユニットに設けた制御テーブルではスイッチおよび負荷の回路別に対応付けが可能になっている。つまり、たとえば操作端末器が複数のスイッチを有する場合、操作端末器に固有の端末アドレスだけでは、当該操作端末器に設けられたスイッチが全て該当することになり、実際に操作された唯一のスイッチを特定することはできない。
【０００６】
そこで、各操作端末器においては、それぞれスイッチごとに負荷番号を割り振り、各操作端末器の端末アドレスの後に負荷番号を付加したものをスイッチのアドレスとして用いることによって、実際に操作された唯一のスイッチを特定できるようにしてある。同様に、制御端末器においては負荷ごとに負荷番号を割り振り、各制御端末器の端末アドレスの後に負荷番号を付加したものを負荷のアドレスとする。なお、１台の制御端末器に接続される複数の負荷で１つの負荷回路を構成してもよく、この場合には各制御端末器の端末アドレスが負荷のアドレスとして用いられる。
【０００７】
ところで、上述した操作端末器は、スイッチごとに設定されたアドレス（端末アドレス＋負荷番号）を記憶するためのアドレスメモリを備えている。アドレスメモリへのアドレスの設定は、一般的に操作端末器とは別体の専用のアドレス設定器を用いて行われる（たとえば特許文献１参照）。この構成では、操作端末器にアドレスを設定する際に、アドレス設定器にて設定されたアドレスを、有線あるいは赤外線通信などにより操作端末器に転送し、アドレスメモリにアドレスを記憶する。
【０００８】
ただし、専用のアドレス設定器を用いてアドレスを設定するようにした場合、操作端末器単体では設定されたアドレスを確認する手段を持たないので、レイアウト変更時などに、アドレス設定器を用いて操作端末器に設定されたアドレスを確認する必要があり、アドレスの確認作業が面倒である。また、アドレス設定器は、アドレスの設定時以外には特に使用されないため、遠隔監視制御システムの管理者によって保管されるが、万一、保管中に紛失すれば、アドレスの変更が必要になった際にアドレス設定器を再度購入することが必要となり、管理者にとって負担となる。
【０００９】
そこで、専用のアドレス設定器を用いることなくアドレスを設定することができるように、アドレスメモリに記憶されるアドレスを設定する機能を操作端末器自体に付加した監視制御装置が提案されている（たとえば特許文献２参照）。
【００１０】
この監視制御装置は、液晶表示器よりなる表示パネルと、表示パネルの画面に重ねて配置された透明なタッチスイッチとを具備したタッチパネルディスプレイからなる操作入力部を備え、タッチスイッチのうち表示パネルの画面に表示される操作釦により規定された領域をそれぞれスイッチとする。つまり、ユーザにおいては表示パネルの画面上のスイッチ（操作釦）にタッチすることで、当該スイッチに対応する負荷を制御することができる。さらに、制御対象となる各負荷の動作状態は表示パネルに表示される。この監視制御装置では、表示パネルの表示内容を変更することで多数のスイッチを実現することができるから、多数のスイッチを個別に配置する場合に比べて操作端末器の占有スペースを小さくすることができる。
【００１１】
上記監視制御装置では、操作入力部の操作に応答して負荷を制御する操作モードと、スイッチごとのアドレスの設定等を行うためのアドレス設定モードとの２つの動作モードが選択可能であって、操作入力部で所定の操作をすることにより操作モードとアドレス設定モードとを切り替えることができる。アドレス設定モードにおいては、表示パネルの画面上の各スイッチ（操作釦）について、表示パネルの画面上のテンキーを使用してそれぞれアドレスを設定でき、設定されたアドレスがアドレスメモリに格納される。
【先行技術文献】
【特許文献】
【００１２】
【特許文献１】特開２００６−３４０１１０号公報
【特許文献２】特開平１０−２４３４７８号公報
【発明の概要】
【発明が解決しようとする課題】
【００１３】
上記構成の監視制御装置において、スイッチごとに設定されるアドレスが正しく設定されていることを確認するためには、操作モードにて実際にスイッチをタッチ操作して負荷の動作状態が変化することを確認する必要がある。したがって、設定したアドレスの正誤を確認する場合、アドレス設定モードを一旦終了して操作モードに切り替えることとなるが、もしアドレスが間違っていればアドレス設定モードに再度切り替えてアドレスを設定し直す必要があり、アドレスの設定作業の手間が増える。特に、システム規模が大きくなって監視制御装置に多数のスイッチが設定される場合、アドレスの設定間違いを生じる可能性が高くなるため、その都度アドレス設定モードに切り替えてアドレスを設定し直すことで、アドレスの設定作業における時間的なロスが増大する。
【００１４】
本発明は上記事由に鑑みて為されたものであって、アドレス設定モードから操作モードに切り替えることなく、スイッチごとに設定されたアドレスの正誤を確認可能とすることで、アドレスの設定作業の効率を向上することができる監視制御装置を提供することを目的とする。
【課題を解決するための手段】
【００１５】
請求項１の発明は、それぞれ固有のアドレスが設定される１ないし複数のスイッチを有しスイッチの操作に応じてアドレスを含む伝送信号を信号線上に送出する操作端末器と、伝送信号に基づいて操作されたスイッチに対応した負荷を制御する制御端末器とを備えた遠隔監視制御システムに、信号線に接続して用いられる監視制御装置であって、１ないし複数のスイッチを有した操作入力部と、スイッチごとにアドレスを記憶するアドレスメモリと、少なくともスイッチの操作に応じてアドレスを含む伝送信号を信号線上に送出する操作モードおよびアドレスメモリに記憶されるアドレスを設定するアドレス設定モードの２つの動作モードを有する制御部とを備え、制御部が、アドレス設定モードで動作中に操作入力部で所定の操作がされることによりアドレス設定モードを中断し、設定中のアドレスを仮アドレスとして使用し当該仮アドレスを含む伝送信号を信号線上に送出する動作確認モードを起動する動作確認手段を有し、動作確認モードが終了するとアドレス設定モードを再開することを特徴とする。
【００１６】
この構成によれば、動作確認手段は、制御部がアドレス設定モードで動作中に操作入力部で所定の操作がされることにより、アドレス設定モードを中断し、設定中のアドレスを仮アドレスとして使用し当該仮アドレスを含む伝送信号を信号線上に送出する動作確認モードを起動するので、アドレス設定モードから操作モードに切り替えることなく、スイッチごとに設定されたアドレスの正誤が確認可能となる。すなわち、ユーザにおいては、制御部をアドレス設定モードで動作させたままの状態で、一時的に動作確認モードを起動して設定中のアドレスを使って負荷の制御を試みることができるため、このときの負荷の動作状態を確認することで設定中のアドレスの正誤を確認することができる。したがって、従来例のように設定したアドレスの正誤を確認するためにアドレス設定モードを一旦終了して操作モードに切り替える必要はなく、もしアドレスが間違っていても、動作確認モードを終了してアドレス設定モードを再開することですぐにアドレスを設定し直すことができる。結果的に、アドレスの設定作業における時間的なロスを低減することができるため、アドレスの設定作業の効率を向上できるという利点がある。
【００１７】
請求項２の発明は、請求項１の発明において、前記制御部が前記操作モードと前記動作確認モードとのいずれかの動作モードにあるときに、各スイッチにそれぞれ対応付けられた前記負荷の動作状態を表示する状態表示部を備えることを特徴とする。
【００１８】
この構成によれば、ユーザは、動作確認モードを起動して設定中のアドレスの正誤を確認する際に、負荷から離れた場所にいても、状態表示部の表示によって負荷の動作状態を確認することができる。
【００１９】
請求項３の発明は、請求項１または請求項２の発明において、前記操作入力部が、文字および図形をカラー表示可能な表示パネルと、表示パネルの画面に重ねて配置され利用者によりタッチ操作されるタッチスイッチとを具備したタッチパネルディスプレイからなり、タッチスイッチのうち表示パネルの画面に表示される操作釦により規定された領域を前記スイッチとし、前記制御部が、スイッチごとに表示パネル上の操作釦の表示色を設定する表示色設定モードを動作モードとして有することを特徴とする。
【００２０】
この構成によれば、制御部を表示色設定モードで動作させることにより、スイッチごとに表示パネル上の操作釦の表示色を設定することができるので、表示パネルに複数の操作釦を同時に表示する場合でもスイッチ同士の区別がつきやすく、操作モードでのスイッチの操作間違いを低減することにつながる。ここで、表示パネルの画面上での操作釦の表示色を設定するだけであるから、機械スイッチの操作子に１つずつ着色する場合に比べると作業の手間は大幅に軽減される。
【発明の効果】
【００２１】
本発明は、制御部をアドレス設定モードで動作させたままの状態で、一時的に動作確認モードを起動して設定中のアドレスを使って負荷の制御を試みることができるので、アドレス設定モードから操作モードに切り替えることなく、スイッチごとに設定されたアドレスの正誤を確認することができ、アドレスの設定作業の効率が向上するという利点がある。
【図面の簡単な説明】
【００２２】
【図１】本発明の実施形態１の構成を示す概略ブロック図である。
【図２】同上を用いた遠隔監視制御システムの構成を示す図である。
【図３】同上の概略ブロック図である。
【図４】同上の操作画面の説明図である。
【図５】同上の選択画面の説明図である。
【図６】同上の設定画面の説明図である。
【図７】同上の動作確認画面の説明図である。
【図８】同上の動作確認画面の説明図である。
【図９】同上の動作確認モードの動作を示すフローチャートである。
【図１０】本発明の実施形態２の設定メニュー画面の説明図である。
【図１１】同上の表示色設定画面の説明図である。
【図１２】同上の表示色設定モードの動作を示すフローチャートである。
【図１３】同上のタイプ設定画面の説明図である。
【発明を実施するための形態】
【００２３】
以下の実施形態において説明する監視制御装置は、図２に示す遠隔監視制御システムに用いられるものである。この遠隔監視制御システムの基本構成は背景技術の欄で説明した遠隔監視制御システムと同様である。
【００２４】
具体的に説明すると、図２の例では、負荷Ｌとして白熱灯Ｌ１、インバータ式の点灯装置を有した蛍光灯Ｌ２、空調機のファンコイルＬ３、スピーカＬ４を備えている。白熱灯Ｌ１は、灯数に応じた容量の白熱灯調光用制御端末器（１５００Ｗ，８００Ｗ，５００Ｗ）３３Ａ〜３３Ｃにより制御される。蛍光灯Ｌ２は、点灯・消灯を制御するリレーを有した制御端末器３３Ｄおよび光出力を制御する蛍光灯調光用制御端末器３３Ｅにより制御される。ファンコイルＬ３はファンコイル制御端末器３３Ｆにより動作強度が強中弱の３段階に制御され、スピーカＬ４はボリューム制御端末器３３Ｇにより音量が制御される。その他の負荷として電動カーテン、電動スクリーン、換気用のファンなどを用いることも可能である。
【００２５】
操作端末器としては、スイッチＳ０を備えた操作端末器３１Ａ、および調光用操作端末器３１Ｂ，３１Ｃ、接点出力が得られる各種センサを接続する接点入力操作端末器３１Ｄが設けられる。さらに、ワイヤレス送信器３４ａに操作部を設け、ワイヤレス受信機３４ｂと組み合わせることで操作端末器を構成することができる。また、信号線Ｌｓを延長するために図示例では信号線Ｌｓ上に中継器（増幅器）３５を挿入して伝送信号を減衰させずに伝送できるようにしてある。操作端末器としての機能を有する監視制御装置１Ａ，１Ｂ（以下、両者を区別しないときは単に監視制御装置１という）は図示例では２台接続してあり、一方の監視制御装置１Ａには、商用電源（たとえば交流１００Ｖ）を降圧して出力する降圧トランスであるリモコントランス３６から交流２４Ｖの電源が供給されている。以下、操作端末器１Ａ，１Ｂ，３１Ａ〜３１Ｄを区別しないときには単に操作端末器３１とし、制御端末器３３Ａ〜３３Ｇを区別しないときには単に制御端末器３３とする。
【００２６】
ここでは、伝送ユニット３０が伝送信号を信号線Ｌｓに定期的に送出しており、伝送信号としてはたとえば±２４Ｖの双極性のパルス幅変調信号が用いられる。監視制御装置１以外の操作端末器３１および制御端末器３３では、この伝送信号を全波整流することによって内部電源を確保している。また、伝送ユニット３０には商用電源によって電源が供給されている。
【００２７】
ここにおいて、操作端末器３１と制御端末器３３とはアドレスにより対応付けられる。ここで、操作側と制御側とで対応付けられているアドレスを同じ値に設定すると対応関係が分かりやすいから、その意味でチャンネルという概念を用い、一対一に対応する操作側と制御側とは同一チャンネルに設定されるものとする。上述のように同一チャンネルでは負荷番号の指定により４つの負荷Ｌが制御可能となっており、たとえば「０−１」という表記は「０」チャンネルの「１」番目の負荷Ｌという意味である。このようにして設定されるチャンネルと負荷番号との１つの組み合わせに対して、それぞれ操作側の端末器と制御側の端末器とを対応付けることができるのである。このような対応付けの関係を示す制御テーブルは伝送ユニット３０に予め設けられている。以下では、スイッチと負荷Ｌとのそれぞれに「０−１」〜「６３−４」の範囲でアドレス（チャンネル＋負荷番号）が割り振られるものと仮定する。
【００２８】
ところで、制御テーブルでは、スイッチと負荷Ｌとを一対一に結びつけるほか、一対多に結びつけることも可能になっている。たとえば、上記遠隔監視制御システムにて負荷Ｌとしての蛍光灯Ｌ２への電源を入切するとすれば、伝送ユニット３０では、１個のスイッチで１回路の蛍光灯Ｌ２の点灯と消灯とを行う個別制御と、１個のスイッチで複数回路の蛍光灯Ｌ２の点灯と消灯とを一括して行う一括制御との設定が可能になっている。言い換えると、個別制御は１指示で１回路の負荷Ｌを制御することを意味し、一括制御は１指示で複数回路の負荷Ｌを制御することを意味する。このような一括制御には、グループ制御とパターン制御とがある。グループ制御では、制御対象となる負荷Ｌの範囲をスイッチに予め対応付けておき、１個のスイッチの操作によって当該範囲の負荷Ｌを一括してオンまたはオフにする。パターン制御では、制御対象となる負荷Ｌのアドレスの範囲と各アドレスに対応する負荷Ｌのオンとオフとの別とをスイッチに予め対応付けておき、１個のスイッチの操作によって当該範囲の負荷Ｌをそれぞれオンまたはオフにする。
【００２９】
上述したグループ制御あるいはパターン制御を行うため、伝送ユニット３０の制御テーブルにおいては、グループ制御あるいはパターン制御を行うスイッチごとに設定されるアドレス（グループ番号またはパターン番号）に、制御対象となる範囲の負荷Ｌのアドレスを対応付けてある。そして、グループ制御あるいはパターン制御を行うスイッチが操作されたときに、伝送ユニット３０では、制御テーブルと照合することにより制御対象となる負荷Ｌのアドレスを展開し、さらに負荷Ｌのオンおよびオフの状態を決定した後、制御テーブルの参照により得られたアドレスを持つ制御端末器３３に指示を与える。以下では、スイッチに対してグループ制御用に「１」〜「１２７」の範囲でアドレス（グループ番号）が割り振られ、パターン制御用に「１」〜「７２」の範囲でアドレス（パターン番号）が割り振られるものと仮定する。
【００３０】
すなわち、たとえば会議室のように多数の負荷Ｌが存在する場所で各負荷Ｌの動作を個別制御しようとすると、多数のスイッチが必要となり、操作端末器３１の占有スペースが大きくなるという問題がある。ここで、グループ制御やパターン制御を行えば、複数の負荷Ｌの個々の動作を１つのスイッチ操作で制御することが可能である。
【００３１】
以下に、上述の遠隔監視制御システムの動作について簡単に説明する。
【００３２】
伝送ユニット３０は、常時、端末アドレスをサイクリックに変更した伝送信号を周期的に信号線Ｌｓに送出する常時ポーリングを行っている。伝送信号には、信号送出開始を示すスタートパルス、信号モードを示すモードデータ、操作端末器３１や制御端末器３３を各別に呼び出すための端末アドレスを伝送するアドレスデータ、負荷Ｌを制御するための制御データを伝送する制御データ（負荷番号を含む）、伝送エラーを検出するためのチェックサムデータ、操作端末器３１や制御端末器３３からの返送信号を受信するタイムスロットである信号返送期間を含む双極性の信号を用いている。
【００３３】
いずれかの操作端末器３１においてスイッチ操作等による監視入力が発生すると、当該操作端末器３１は伝送信号のスタートパルスに同期する割込信号を信号線Ｌｓに送出する。割込信号を発生した操作端末器３１は割込フラグを設定したラッチ状態になる。一方、伝送ユニット３０は割込信号を検出すると、モードデータをサーチモードとした伝送信号を送出する。ラッチ状態になっている操作端末器３１は、サーチモードの伝送信号を受信すると信号返送期間において端末アドレスを返送し、端末アドレスを受け取った伝送ユニット３０は、当該端末アドレスの操作端末器３１にラッチ状態の返送を要求する伝送信号を伝送し、ラッチ状態か否かを確認することによって割込信号を発生した操作端末器３１であることを確認する。
【００３４】
割込信号を発生した操作端末器３１であることが確認されると、伝送ユニット３０は、モードデータを監視モードとし、獲得したアドレスデータを持つ伝送信号を信号線Ｌｓに送出し、この伝送信号に対して操作端末器３１は伝送しようとする情報を信号返送期間に返送する。最後に、伝送ユニット３０はラッチ状態を解除させる伝送信号を伝送し、当該操作端末器３１のラッチ状態を解除させる。
【００３５】
伝送ユニット３０は、上述の動作によって操作端末器３１からの要求を受け取ると、制御テーブルに従って当該操作端末器３１に対応付けられた制御端末器３３に対して負荷Ｌの制御を要求する。次に、制御対象である負荷Ｌの動作状態を確認するための伝送信号を送出し、制御端末器３３から負荷状態を返送させる。制御端末器３３から受け取った負荷状態は、伝送ユニット３０から伝送信号により監視入力があった操作端末器３１に伝送される。操作端末器３１は、オンオフ表示用の表示灯などによって制御対象の負荷状態を表示する。
【００３６】
以上説明した遠隔監視制御システムでは、操作端末器３１のスイッチが操作されると、伝送ユニット３０においてこのスイッチのアドレス（端末アドレス＋負荷番号）が制御テーブルで照合され、スイッチとの対応関係が設定されている負荷Ｌに接続された制御端末器３３に対して、負荷Ｌの制御を指示する伝送信号が伝送ユニット３０から伝送される。このような動作によって、スイッチのオンオフ情報を負荷Ｌの制御に反映させることができる。
【００３７】
（実施形態１）
本実施形態の監視制御装置１は、図３に示すように、液晶表示器にバックライトを一体化した表示パネル２と、表示パネル２の画面（前面）に重ねて配置された透明な板状のタッチスイッチ３とを備えている。
【００３８】
表示パネル２には多数の画素を縦横にマトリクス状に配列したマトリクス表示型のものを用い、画素の組み合わせによって図形をカラー表示するようになっている。タッチスイッチ３は、透明なシート状部材に透明電極からなる接点部を多数個配列し、シート状部材に指などが触れた際にどの部位に触れたのかを出力する抵抗感圧方式のタッチスイッチであり、表示パネル２と共にタッチパネルディスプレイを構成する。
【００３９】
当該タッチパネルディスプレイは、ユーザからの操作入力を受け付ける操作入力部２３（図１参照）として用いられるものであって、タッチスイッチ３のうち表示パネル２の画面に表示される操作釦ｂ１〜ｂ５（図４参照）により規定された領域をそれぞれスイッチとする。つまり、ユーザにおいては表示パネルの画面上のスイッチ（操作釦ｂ１〜ｂ５）にタッチすることで、当該スイッチに対応する負荷を制御することができる。
【００４０】
この監視制御装置１は、内部回路に直流電源を供給する電源回路１０と、伝送ユニット３０に接続された信号線Ｌｓに接続され伝送信号を授受する通信回路１１とを備えている。通信回路１１は制御部２０（図１参照）の主構成となるメインマイコン１２に接続され、メインマイコン１２は、監視制御装置１の内蔵メモリとして設けられたフラッシュメモリ１３に書き込まれているプログラムおよびデータに従って動作する。詳しくは後述するが、フラッシュメモリ１３はスイッチごとに設定されるアドレス（端末アドレス＋負荷番号）を記憶するメモリとしても用いられ、複数のアドレスを記憶するための領域（以下、アドレスメモリという）を確保してある。さらにフラッシュメモリ１３には、少なくともＳＤメモリカード（登録商標）からなるメモリカードのデータをコピーするための領域が確保されている。メモリカードはソケット４に対して着脱自在に装着される。
【００４１】
メインマイコン１２は、表示パネル２の表示内容を指示するデータをラッチ回路１４を通して液晶コントローラ１５に出力する。液晶コントローラ１５は、ＤＲＡＭ１６に予め登録してあるデータを用いて表示パネル２の所定位置に所定の内容を表示する。なお、表示パネル２のコントラストやバックライトの明るさは、メインマイコン１２がコントラスト調整部１７やバックライト用インバータ回路１８を制御することによって自動的に調節される。さらに、メインマイコン１２はタッチスイッチ３の操作に応じてブザー１９を鳴動させる機能を有している。
【００４２】
ところで、本実施形態の監視制御装置１においては、図１に示すように、制御部２０は、操作入力部２３におけるスイッチの操作に応じてアドレスを含む伝送信号を信号線Ｌｓ上に送出する操作モードと、フラッシュメモリ（アドレスメモリ）１３に記憶されるアドレスを設定するアドレス設定モードとの２つの動作モードを切り替えるモード切替手段２１を有している。なお、図１では、メインマイコン１２およびその周辺回路を制御部２０として図示し、以下の説明に関係のない構成要素の図示を省略している。
【００４３】
すなわち、制御部２０は少なくとも操作モードとアドレス設定モードとの２つの動作モードで動作可能であって、操作入力部２３からの操作入力に応じてモード切替手段２１によりこれら２つの動作モードを切り替えることができる。以下に、操作モード、アドレス設定モードのそれぞれにおける制御部２０の動作について説明する。
【００４４】
操作モードにおいては、制御部２０は、通信回路１１で取得される負荷状態（負荷の動作状態）を表示パネル２に表示し、且つ当該表示内容に関連付けられているタッチスイッチ３の操作に応じた負荷制御を行う。つまり、表示パネル２は、監視制御対象となる各負荷の現在の動作状態を表示する状態表示部として兼用され、ユーザにおいては、当該表示に応じてタッチスイッチ３を操作することで負荷を制御することが可能となる。
【００４５】
具体的に説明すると、操作モードでは、制御部２０は図４に示すように表示パネル２の画面上に複数の操作釦ｂ１〜ｂ５を含む操作画面を表示し、タッチスイッチ３のうち表示パネル２の画面上の各操作釦ｂ１〜ｂ５と重なる領域をそれぞれスイッチとする。ユーザは、タッチスイッチ３の各スイッチ（各操作釦ｂ１〜ｂ５に対応する部分）に触れることで負荷制御のための操作入力を与えることができる。このとき、フラッシュメモリ１３のアドレスメモリ１３ａに記憶されているアドレスのうち、操作されたスイッチに対応するアドレスを含む伝送信号が信号線Ｌｓ上に送出されることとなる。しかして、任意の操作釦ｂ１〜ｂ５に対応するスイッチを操作することで、当該スイッチに対応する負荷を制御することができる。
【００４６】
さらに、操作画面において各操作釦ｂ１〜ｂ５はそれぞれ対応する負荷の動作状態を表しており、ここでは、負荷がオフの状態では左端部のオフマークＭｏｆｆが緑色に点灯して見えるように表示し、負荷がオンの状態では右端部のオンマークＭｏｎが赤色に点灯して見えるように表示する。
【００４７】
ここに、操作画面では、画面右下に「設定」と表記されたアイコン（図像）Ｉ１が表示されており、タッチスイッチ３のうち当該アイコンＩ１に対応する領域がアドレス設定モードに移行するための設定用スイッチとして機能する。すなわち、設定用スイッチが操作されると、モード切替手段２１によって制御部２０の動作モードがアドレス設定モードに切り替えられることになる。
【００４８】
アドレス設定モードに切り替わると、制御部２０は、通信回路１１による伝送ユニット３０との通信を停止し、図５に示すように表示パネル２の画面上に複数の操作釦ｂ１〜ｂ５を含む選択画面を表示する。選択画面では、負荷の動作状態（オンマークＭｏｎ、オフマークＭｏｆｆ）の表示はなく、操作モードのようにタッチスイッチ３の操作に応じた負荷制御も行えない。
【００４９】
この選択画面において、ユーザは、タッチスイッチ３の各スイッチ（各操作釦ｂ１〜ｂ５に対応する部分）に触れることで、アドレスを設定するスイッチを１つ選択することができる。アドレスを設定するスイッチが選択されると、図６のように当該スイッチのアドレスを設定するための設定画面に移行する。以下、操作釦ｂ２に対応するスイッチが選択された場合を例に説明する。なお、操作画面では、画面右下に「戻る」と表記されたアイコンＩ２が示されており、当該アイコンＩ２がタッチ操作されると、モード切替手段２１によって制御部２０の動作モードが操作モードに切り替えられることになる。
【００５０】
図６に示す設定画面では、前記選択画面で選択されたスイッチ（ここでは操作釦ｂ２に対応するスイッチ）のアドレスを設定するための「０」〜「９」並びに「−」からなるテンキーＫ１が表示され、当該テンキーＫ１のタッチ操作によりアドレスの指定が可能になる。テンキーＫ１で指定されたアドレス（図６の例では「６３−４」）はテンキーＫ１の上方のアドレス表示窓Ｗ１に表示される。
【００５１】
また、図６の設定画面では、テンキーＫ１の左側に「個別」、「Ｐ」、「Ｇ」、「調光」からなる種別キーＫ２が表示される。当該種別キーＫ２は、スイッチに設定するアドレスの種別（個別制御用、グループ制御用等の別）を指定するものであって、個別制御用であれば「個別」、グループ制御用であれば「Ｇ」、パターン制御用であれば「Ｐ」のキーを選択する。「調光」を選択すると、照明器具の調光制御用のアドレスが設定される。指定されたアドレスの種別（図６の例では「個別」）は種別キーＫ２の上方の種別表示窓Ｗ２に表示される。
【００５２】
さらに、図６の例では、種別キーＫ２の下方にタイマ設定窓Ｗ３が設けられており、タイマ設定窓Ｗ３内の「タイマー」と表記された設定キーをタッチすることで、設定中のスイッチについてタイマ機能を付加することができる。すなわち、監視制御装置１は、スイッチごとにタイマ機能を付加することができ、たとえば１つのスイッチについて「一時点灯１２０分」というタイマ機能を付加した場合、操作モードで前記スイッチが操作されて対応する負荷がオンしても、１２０分経過すると再度前記スイッチが操作されたのと同様の伝送信号を送出して負荷をオフする。
【００５３】
アドレス設定モードにおいて、設定中のアドレス等（アドレス、種別、タイマ機能）はフラッシュメモリ１３内の一時記憶領域１３ｂに記憶される。これら設定中のアドレス（アドレスの種別を含む）は、上述したアドレス表示窓Ｗ１や種別表示窓Ｗ２に表示されるが、アドレス表示窓Ｗ１や種別表示窓Ｗ２内の「クリア」と表記されたクリアキーをタッチすることで破棄される。
【００５４】
上記設定画面では、画面右上に、「決定」と表記されたアイコンＩ３が示されており、当該アイコンＩ３がタッチ操作されると、制御部２０によって設定中のアドレス等（アドレス、種別、タイマ機能）がフラッシュメモリ１３のアドレスメモリ１３ａに書き込まれる。このとき、フラッシュメモリ１３の一時記憶領域１３ｂからは設定中のアドレス等が消去される。アドレスメモリ１３ａへの書込が完了すれば、モード切替手段２１は、アドレス設定モードを終了し制御部２０の動作モードを操作モードに切り替える。また、アイコンＩ３左側の「中止」と表記されたアイコンＩ４がタッチ操作されると、設定中のアドレス等をアドレスメモリ１３ａに書き込むことなく、モード切替手段２１が、アドレス設定モードを終了し制御部２０の動作モードを操作モードに切り替える。この場合でも、一時記憶領域１３ｂからは設定中のアドレス等は消去され、アドレス設定モードに移行する前にアドレスメモリ１３ａに登録されていたアドレス等がそのまま使用されることになる。
【００５５】
ところで、本実施形態における制御部２０は、アドレス設定モードで動作中に操作入力部２３で所定の操作がされることによりアドレス設定モードを一時中断し、設定中のアドレス（アドレスの種別を含む）を仮アドレスとして暫定的に使用する動作確認モードを起動する動作確認手段２２を具備している。制御部２０は、動作確認モードが終了するとアドレス設定モードを再開する。
【００５６】
具体的には、アドレス設定モードで表示される設定画面において、アイコンＩ４の左側に「状態確認」と表記されたアイコンＩ５が設けられており、タッチスイッチ３のうち当該アイコンＩ５に対応する領域が動作確認モードを起動するための確認用スイッチとして機能する。つまり、確認用スイッチがタッチ操作されると、動作確認手段２２によってアドレス設定モードが一時的に中断され動作確認モードが起動することになる。
【００５７】
動作確認モードが起動すると、制御部２０は、図７に示すように表示パネル２の画面上に、アドレス設定中のスイッチに対応した操作釦ｂ２を含む動作確認画面を表示する。この状態で、ユーザがタッチスイッチ３のスイッチ（操作釦ｂ２に対応する部分）に触れると、制御部２０は、フラッシュメモリ１３の一時記憶領域１３ｂに記憶されたアドレスを仮アドレスとして用いて、操作モードと同様に通信回路１１による伝送ユニット３０との通信を行い、負荷制御を実行する。
【００５８】
ここに、動作確認モードでは、伝送ユニット３０との通信において、設定中のスイッチのアドレスのみを有効とし、フラッシュメモリ１３に記憶されている他のアドレスについては有効とはしない。つまり、アドレス設定モードを終了して操作モードに切り替えると、フラッシュメモリ１３のアドレスメモリ１３ａに記憶されている全てのアドレスが有効となるため、これらのアドレスを含む伝送信号が全て送受信の対象となるのに対し、動作確認モードでは、一時記憶領域１３ｂに記憶されている設定中のスイッチのアドレスのみが有効となるため、当該設定中のアドレス（仮アドレス）を含む伝送信号のみが送受信の対象となる。したがって、動作確認モードにおいては、伝送ユニット３０との通信処理の負担を極力増加させることなく、設定中のスイッチの動作確認が可能となる。
【００５９】
さらに、動作確認画面においては操作釦ｂ２に対応する負荷の動作状態が表示され、図７の例では、操作モードと同様に、オフマークＭｏｆｆ、オンマークＭｏｎによって負荷状態を表示する。ただし、オフマークＭｏｆｆおよびオンマークＭｏｎは操作釦ｂ２内に表示されるのではなく、操作釦ｂ２の上方にそれぞれ表示されるものとする。なお、図７の動作確認画面では、操作釦ｂ２内に当該スイッチの設定中のアドレス「６３−４」が表示されている。
【００６０】
上記動作確認画面では、画面右上に「戻る」と表記されたアイコンＩ６が示されており、当該アイコンＩ６がタッチ操作されると、動作確認手段２２は、動作確認モードを終了する。このとき、制御部２０は、動作確認モードが起動する直前の状態からアドレス設定モードを再開する。
【００６１】
なお、設定中のスイッチのアドレスの種別として「調光」が選択されている場合には、制御部２０は、図７の動作確認画面に代えて図８に示すような動作確認画面を表示する。図８の動作確認画面では、アドレス設定中のスイッチに対応した操作釦ｂ３，ｂ４の左側方に、対応する照明器具の調光レベルを点灯するバーの数によって表すレベルメータＭＬが表示され、当該レベルメータＭＬによって負荷状態を表示する。
【００６２】
次に、本実施形態の監視制御装置１の動作について、動作確認モードにおける制御部２０の処理の流れを示した図９のフローチャートを参照して説明する。
【００６３】
動作確認画面上のスイッチが押下されると（Ｓ１）、制御部２０は、フラッシュメモリ１３の一時記憶領域１３ｂ内のアドレスが不当なもの（たとえば設定可能な範囲を超えて設定されたものなど）でないか確認する（Ｓ２）。不当なアドレスであれば表示パネル２にてエラー表示を行う（Ｓ３）。
【００６４】
不当なものでなければ、一時記憶領域１３ｂ内のアドレスを含む伝送信号を信号線Ｌｓ上に送出し、このアドレスに対応する負荷の制御を要求する（Ｓ４）。その後、制御部２０は負荷の動作状態を示す状態表示コマンドの受信待ちを行う（Ｓ５）。状態表示コマンドを受信すれば（Ｓ６）、当該状態表示コマンドに基づいて動作確認画面上の負荷状態の表示を更新する（Ｓ７）。
【００６５】
以上説明した構成の監視制御装置１によれば、制御部２０をアドレス設定モードで動作させたままの状態で、動作確認手段２２により一時的に動作確認モードを起動して設定中のアドレスを使って負荷の制御を試みることができるため、このときの負荷の動作状態を確認することで設定中のアドレスの正誤を確認することができる。したがって、もし設定したアドレスが間違っていても、動作確認モードを終了してアドレス設定モードを再開することですぐにアドレスを設定し直すことができる。結果的に、アドレスの設定作業における時間的なロスを低減することができるため、アドレスの設定作業の効率が向上するという効果がある。
【００６６】
また、動作確認画面において負荷の動作状態を表示パネル２に表示しているから、設定中のアドレスに対応する負荷が監視制御装置１から離れた場所にあっても、ユーザにおいては、監視制御装置１の表示により負荷の動作状態を確認することができる。すなわち、負荷の動作状態を確認するために負荷の設置場所まで移動する必要がなく、アドレスの正誤の確認作業にかかる手間を軽減することができる。
【００６７】
（実施形態２）
本実施形態の監視制御装置１は、制御部２０が、操作画面（図４参照）における操作釦ｂ１〜ｂ５の表示色を個別に設定する表示色設定モードを動作モードとして有する点が実施形態１の監視制御装置１と相違する。
【００６８】
本実施形態では、制御部２０は、操作モードで動作中に操作画面上の設定用スイッチ（タッチスイッチ３のうちアイコンＩ１に対応する領域）がタッチ操作されると、実施形態１で説明した選択画面（図５参照）に代えて、図１０に示す設定メニュー画面を表示パネル２に表示する。
【００６９】
設定メニュー画面では、それぞれ異なる設定メニューに対応付けられた複数のアイコンＩ７〜Ｉ１３が表示され、各アイコンＩ７〜Ｉ１３がタッチ操作されると、当該アイコンＩ７〜Ｉ１３に対応する設定メニューに移行する。ここで、「スイッチアドレス」と表記されたアイコンＩ７が操作されると、モード切替手段２１は制御部２０の動作モードを実施形態１で説明したアドレス設定モードに切り替え、選択画面（図５参照）を表示する。一方、「スイッチ色」と表記されたアイコンＩ９が操作されると、モード切替手段２１は制御部２０の動作モードを表示色設定モードに切り替える。
【００７０】
なお、設定メニュー画面では、画面右上に「設定終了」と表記されたアイコンＩ１４が示されており、当該アイコンＩ１４がタッチ操作されると、制御部２０は操作モードに復帰して表示パネル２に操作画面を表示する。また、アイコンＩ１４の左側には「戻る」と表記されたアイコンＩ１５が示されており、当該アイコンＩ１５がタッチ操作されると表示パネル２に１つ前の画面を表示する。
【００７１】
表示色設定モードに切り替わると、制御部２０は、通信回路１１による伝送ユニット３０との通信を停止し、図１１に示すように表示パネル２の画面上に複数の操作釦ｂ１〜ｂ５を含む表示色設定画面を表示する。表示色設定画面では、負荷の動作状態（オンマークＭｏｎ、オフマークＭｏｆｆ）の表示はなく、操作モードのようにタッチスイッチ３の操作に応じた負荷制御も行えない。
【００７２】
この表示色設定画面において、ユーザは、タッチスイッチ３の各スイッチ（各操作釦ｂ１〜ｂ５に対応する部分）に触れることで、対応する操作釦ｂ１〜ｂ５の表示色を変更することができる。このとき、表示色設定画面上の操作釦ｂ１〜ｂ５は変更後の表示色で表示され、これによりユーザは変更後のイメージを確認することができる。ここで、各操作釦ｂ１〜ｂ５の表示色は予め決められている複数色の中から選択され、タッチ操作の度に表示色がサイクリックに切り替わるものとする。選択可能な表示色としては、負荷状態の表示に用いる緑色、赤色を除いて、明確に判別できる色（白色、黄色、青色など）とするのが好ましい。しかして表示色設定モードにおいて変更された操作釦ｂ１〜ｂ５の表示色に係るデータ（以下、表示色データという）は、フラッシュメモリ１３内の一時記憶領域１３ｂに記憶される。
【００７３】
上記表示色設定画面では、画面右上に「決定」と表記されたアイコンＩ１６が示されており、当該アイコンＩ１６がタッチ操作されると、制御部２０によって設定中の表示色データがフラッシュメモリ１３のアドレスメモリ１３ａに書き込まれる。このとき、フラッシュメモリ１３の一時記憶領域１３ｂからは設定中の表示色データが消去される。アドレスメモリ１３ａへの書込が完了すれば、制御部２０は、表示色設定モードを終了して図１０の設定メニュー画面を表示パネル２に表示する。また、アイコンＩ１６上方の「中止」と表記されたアイコンＩ１７がタッチ操作されると、設定中の表示色データをアドレスメモリ１３ａに書き込むことなく、表示色設定モードを終了して設定メニュー画面に移行する。この場合でも、一時記憶領域１３ｂからは設定中の表示色データは消去され、表示色設定モードに移行する前にアドレスメモリ１３ａに登録されていた表示色データがそのまま使用されることになる。
【００７４】
次に、本実施形態の監視制御装置１の動作について、表示色設定モードにおける制御部２０の処理の流れを示した図１２のフローチャートを参照して説明する。
【００７５】
設定メニュー画面で「スイッチ色」のアイコンＩ９が押下されると（Ｓ１０）、制御部２０は、表示色設定モードに切り替わり表示色設定画面を表示パネル２に表示する（Ｓ１１）。
【００７６】
この状態で、各スイッチが押下されると（Ｓ１２）、その度に当該スイッチに対応する操作釦ｂ１〜ｂ５の表示色を変更する（Ｓ１３）。「中止」アイコンＩ１７が押下されると（Ｓ１４）、変更された表示色データを破棄して（Ｓ１５）、設定メニュー画面に復帰する（Ｓ１８）。一方、「決定」アイコンＩ１６が押下されると（Ｓ１６）、変更された表示色データに更新して（Ｓ１７）、設定メニュー画面に復帰する（Ｓ１８）。
【００７７】
以上説明した構成により変更された操作釦ｂ１〜ｂ５の表示色は、操作モードにおける操作画面にも反映される。そのため、ユーザにおいては各スイッチの見分けがつきやすく、操作ミスを低減できるという利点がある。また、個別制御やグループ制御などスイッチの機能ごとに表示色を変えれば、操作性の向上も期待できる。
【００７８】
ところで、図１０に示した設定メニュー画面からは、上述したアドレス設定モードや表示色設定モード以外にも様々な設定モードを起動することができる。たとえば、「スイッチ名称」と表記されたアイコンＩ１１が操作されると、各スイッチの名称を設定するための設定モードに移行する。この設定モードで設定されたスイッチの名称は、図１１に示すように各操作釦ｂ１〜ｂ５内に表示される。「音と画面」と表記されたアイコンＩ１２が操作されると、ブザー１９の出力音や表示パネル２の表示に関する設定を行う設定モードに移行し、「システム」と表記されたアイコンＩ１３が操作されると、監視制御装置１の基本的な設定を行う設定モードに移行する。
【００７９】
「スイッチ形状とタイプ」と表記されたアイコンＩ８が操作されると、操作釦ｂ１〜ｂ５の形状等を変更するためのタイプ設定モードに移行する。ここで、上記表示色設定モードは独立した設定モードとせず、タイプ設定モード内で、操作釦ｂ１〜ｂ５の表示色を設定できるようにしてもよい。
【００８０】
たとえば、タイプ設定モードにおいて、図１３に示すように各別のスイッチに対応する複数の操作釦ｂ１〜ｂ８を含むタイプ設定画面を表示させ、画面右下の「色変更」と表記されたアイコンＩ１８の操作で操作釦ｂ１〜ｂ８の表示色を変更可能とする。図１３の例では、ユーザは、タッチスイッチ３の各スイッチ（各操作釦ｂ１〜ｂ８に対応する部分）に触れることで、いずれかのスイッチを選択することができる。このとき、選択中のスイッチの操作釦ｂ１〜ｂ８は強調表示される（図１３では操作釦ｂ５に対応するスイッチが選択されている）。いずれかのスイッチが選択された状態では、アイコンＩ１８が操作される度に、選択中のスイッチに対応する操作釦ｂ１〜ｂ８の表示色がサイクリックに切り替わる。変更後の操作釦ｂ１〜ｂ８の表示色は、各操作釦ｂ１〜ｂ８内に設けた色確認窓Ｗ４に表示される。
【００８１】
なお、操作モードにおいて、表示パネル２の１画面当たりの操作釦の表示数を比較的少なくし、画面の表示内容を切り替えることで多数の負荷に対応する操作釦を表示可能とすることも考えられる。この場合、表示パネル２の１画面ごとにページ名称を設定することが可能であり、当該ページ名称は、設定メニュー画面の「ページ名称」と表記されたアイコンＩ１０を操作して設定モードを立ち上げることで設定可能となる。
【００８２】
その他の構成および機能は実施形態１と同様である。
【符号の説明】
【００８３】
１  監視制御装置
２  表示パネル
３  タッチスイッチ
１３  フラッシュメモリ
１３ａ  アドレスメモリ
２０  制御部
２１  モード切替手段
２２  動作確認手段
２３  操作入力部
３３  制御端末器
ｂ１〜ｂ５  操作釦
Ｌｓ  信号線
【図１】
2010199900.tif 000003
【図２】
2010199900.tif 000004
【図３】
2010199900.tif 000005
【図４】
2010199900.tif 000006
【図５】
2010199900.tif 000007
【図６】
2010199900.tif 000008
【図７】
2010199900.tif 000009
【図８】
2010199900.tif 000010
【図９】
2010199900.tif 000011
【図１０】
2010199900.tif 000012
【図１１】
2010199900.tif 000013
【図１２】
2010199900.tif 000014
【図１３】
2010199900.tif 000015